(57)【特許請求の範囲】
【請求項１】
ガス供給路を開閉する電磁安全弁を駆動する電磁安全弁駆動回路と、パルス信号を発生するパルス発生部と、異常検出回路とを備え、正常時にはパルス発生部から発信されたパルス信号が異常検出回路を経由して電磁安全弁駆動回路に送られ、異常検出時にはパルス信号がストップして燃焼を停止するようにしたパルス制御方式の燃焼器具の温度検出回路において、
サーミスタの両端にそれぞれ抵抗を接続し、上記パルス信号を入力しパルス信号のＨｉ−Ｌｏに応じてこれらの抵抗を交互に切替えて接続する切替え手段を設け、サーミスタとサーミスタに接続される抵抗で得られる分圧電圧を、高温側と低温側の２種類発生させ、高温側の設定電圧と低温側の設定電圧とをそれぞれ
比較することにより、検出温度が所定の自動消火温度以上あるいはサーミスタ断線検出温度以下であれば燃焼を停止させることを特徴とする燃焼器具の温度検出回路。
【発明の詳細な説明】
【０００１】
【発明の属する技術分野】
この発明は、サーミスタを用いて広い範囲の温度を正確に検出し、自動消火温度及びサーミスタの断線等を検出する燃焼器具の温度検出回路に関するものである。
【０００２】
【従来の技術】
燃焼器具においては、天ぷら火災防止のため、天ぷら鍋の温度が２５０℃に達すると自動消火するように設定したり、また、サーミスタが断線すると自動消火するようにし安全性を図っている。サーミスタの断線の検出はサーミスタ温度が冷凍食品が鍋に入れられた場合を考え、冷凍食品の温度でサーミスタが断線したと判断しないように、判断基準を−２２℃とし、サーミスタ温度が−２２℃に低下するとサーミスタが断線したと判断して自動消火するように設定している。
したがって、サーミスタで検出する温度は２５０℃〜−２２℃の広い範囲に及び、サーミスタの抵抗値は数百Ω〜数百ｋΩの範囲で変化することになる。それ故、この広い温度範囲において、正確に温度を検出することが困難であった。
【０００３】
そこで、従来の燃焼器具の温度検出回路は、図９に示す様に、サーミスタＴＨ′に直列に抵抗Ｒ１  ′を接続し電源電圧ＶＤＤ′を分圧し、その分圧電圧Ｖ１  ′を自動消火温度検出用のコンパレータＵ１  ′に入力すると共に、電源電圧ＶＤＤ′を抵抗Ｒ４  ′と抵抗Ｒ５  ′で分圧した分圧電圧Ｖ３  ′を設定電圧としてコンパレータＵ１  ′に入力して、サーミスタ温度が２５０℃以下ならＬｏ、以上ならＨｉを出力させ、これにより自動消火温度に達しているか否かを判定できるようにし、また、前記分圧電圧Ｖ１  ′を抵抗Ｒ２  ′と抵抗Ｒ３  ′により分圧し、その分圧電圧Ｖ２  ′をサーミスタ断線検出用のコンパレータＵ２  ′に入力すると共に、電源電圧ＶＤＤ′を抵抗Ｒ７  ′と半固定抵抗ＶＲ′からなる直列回路と、抵抗Ｒ６  ′とで分圧し、その分圧電圧Ｖ４  ′を設定電圧としてコンパレータＵ２  ′に入力し、サーミスタＴＨ′が正常ならばＬｏ、サーミスタＴＨ′に断線異常があるとＨｉを出力させ、これによりサーミスタＴＨ′が断線しているか否かを判定できるようにしたものが提案されている。
【０００４】
【発明が解決しようとする課題】
従来の技術で述べたものは、自動消火温度（２５０℃）におけるサーミスタと抵抗による分圧電圧Ｖ１  ′と、断線判断温度（−２２℃）におけるサーミスタと抵抗による分圧電圧が、検出したい温度近辺で大きく変化する様に抵抗Ｒ１  ′を決定しているが、抵抗Ｒ１  ′の値が一定であり、高温（２５０℃）におけるサーミスタ抵抗値と、低温（−２２℃）におけるサーミスタ抵抗値との両方で必要な精度が得られず、半固定抵抗ＶＲ′を設けて設定電圧を調節して一定の精度を得るようにしているが、検出温度の広範囲化、高精度化に充分対応することができないという問題点があった。
【０００５】
この発明は従来技術の有するこの様な問題点に鑑み、パルス制御方式の燃焼制御装置に使用する場合において、サーミスタと抵抗とにより分圧電圧を得るために接続する抵抗をパルス信号を利用して切替えできるようにし、
測定しようとする温度近辺で分圧電圧の変化を大きくしサーミスタの分解能を向上させ、広い範囲の温度の検出精度を高くし、また、低温側（サーミスタの断線検出用）と高温側（自動消火温度検出用）の２種類の分圧電圧を得られるようにし、低温側の設定電圧と高温側の設定電圧とをそれぞれ比較することにより温度検出の高精度化を図った燃焼器具の温度検出回路を提供することを目的としている。
【０００６】
【課題を解決するための手段】
本発明の燃焼器具の温度検出回路は、ガス供給路を開閉する電磁安全弁を駆動する電磁安全弁駆動回路と、パルス信号を発生するパルス発生部と、異常検出回路とを備え、正常時にはパルス発生部から発信されたパルス信号が異常検出回路を経由して電磁安全弁駆動回路に送られ、異常検出時にはパルス信号がストップして燃焼を停止するようにしたパルス制御方式の燃焼器具の温度検出回路において、
サーミスタの両端にそれぞれ抵抗を接続し、上記パルス信号を入力しパルス信号のＨｉ−Ｌｏに応じてこれらの抵抗を交互に切替えて接続する切替え手段を設け、サーミスタとサーミスタに接続される抵抗で得られる分圧電圧を、高温側と低温側の２種類発生させ、高温側の設定電圧と低温側の設定電圧とをそれぞれ比較することにより、検出温度が所定の自動消火温度以上あるいはサーミスタ断線検出温度以下であれば燃焼を停止させるもので、実施形態で使用した符号を用いて示すと、サーミスタＴＨの両端にそれぞれ抵抗Ｒ４  ，Ｒ５  を接続し、パルス信号のＨｉ−Ｌｏに応じてこれらの抵抗Ｒ４  ，Ｒ５  を切替え接続する切替え手段を設け、サーミスタＴＨとサーミスタＴＨに接続される抵抗Ｒ４  ，Ｒ５  で得られる分圧電圧Ｖ３  ，Ｖ４  を、高温側（自動消火温度検出用）と低温側（サーミスタの断線検出用）の２種類発生させ、高温側の設定電圧Ｖ６  と低温側の設定電圧Ｖ７とそれぞれ比較し温度を検出する。この場合、パルス信号を利用してパルス電圧Ｖ２  のＨｉ−Ｌｏに応じてサーミスタＴＨに直列に接続されるこれらの抵抗Ｒ４  ，Ｒ５  を切替え、サーミスタＴＨに抵抗Ｒ４  が直列に接続された場合は、高温側の温度すなわち自動消火温度に達しているか否かを判断するための分圧電圧Ｖ３  が得られ、サーミスタＴＨに抵抗Ｒ５  が直列に接続された場合は、低温側の温度すなわちサーミスタＴＨが断線しているか否かを判断するための分圧電圧Ｖ４  が得られ、高温側の設定電圧と低温側の設定電圧とそれぞれ比較して自動消火温度以上であるか否か、サーミスタが断線しているか否かを判定する。
【０００７】
【発明の実施の形態】
この発明の実施の形態を図１〜図７を参照して説明する。
図１は参考例としての回路を示すもので、ＴＨはサーミスタで、これに抵抗Ｒ１  と第１電界効果トランジスタＦＥＴ１  の直列回路と、抵抗Ｒ２  と第２電界効果トランジスタＦＥＴ２  の直列回路と、抵抗Ｒ３  のみの回路との並列回路が接続され、接続点における電源電圧ＶＤＤの分圧電圧Ｖ１  がマイクロコンピュータＡに入力できるようにアナログポートＡＮに接続され、上記第１，第２電界効果トランジスタＦＥＴ１  ，ＦＥＴ２のゲートもマイクロコンピュータＡに接続されている。マイクロコンピュータＡの出力側には電磁安全弁駆動トランジスタＴｒ１のベースが接続され、該トランジスタＴｒ１のコレクターには電磁安全弁のマグネットコイルＭｇが接続され、エミッターには電源が接続されている。
そして、電源電圧ＶＤＤをサーミスタＴＨと抵抗とで分圧した電圧Ｖ１  が、マイクロコンピュータＡに入力され、電圧レベルの判定がされ温度レベルに応じてＦＥＴ１  ，ＦＥＴ２  に指令が出されオン又はオフされ、第１，第２電界効果トランジスタＦＥＴ１  ，ＦＥＴ２  がオフされると抵抗Ｒ３  のみがサーミスタＴＨに直列接続され、低温の温度変化に対応でき、第２電界効果トランジスタＦＥＴ２  がオンされサーミスタＴＨに直列に抵抗Ｒ２  と抵抗Ｒ３  の並列回路が接続されると、抵抗値Ｒ３  のみと比べ抵抗値が小さくなるため、抵抗Ｒ３  のみが直列接続されている時よりサーミスタ温度が高い温度（中温）になった場合の温度変化に対応でき、また、第１，第２電界効果トランジスタＦＥＴ１  ，ＦＥＴ２  の両者がオンされると、サーミスタＴＨに直列に抵抗Ｒ１  ，抵抗Ｒ２  ，抵抗Ｒ３  の並列回路が接続され、サーミスタＴＨに直列に接続される並列回路の合成抵抗がより小さくなるため更に高温になった場合の温度変化に対応できるように設定される。
この様に、サーミスタＴＨに直列接続される抵抗が温度レベルに合せて切替えられるので、サーミスタＴＨと直列接続された抵抗とによる分圧電圧Ｖ１  によりマイクロコンピュータＡにおいて高精度のサーミスタ温度が検出され、この温度判定データによりマイクロコンピュータＡより電磁安全弁駆動トランジスタＴｒ１に制御信号が出力され、該トランジスタＴｒ１をオン又はオフし、電磁安全弁のマグネットコイルＭｇへの通電を制御する。
温度範囲が焼物の温度（３５０℃）、天ぷら鍋温度（２５０℃）、煮物温度（１００℃）、サーミスタ断線判断温度（−２２℃）等の様にさらに広い場合や、より高い精度が必要な場合は、切替え数を増加し、サーミスタＴＨに直列接続できる抵抗値の種類を増やすことで対応することが可能である。
【０００８】
図２は、本発明の実施形態であるパルス制御方式の燃焼器具に使用する温度検出回路で、サーミスタＴＨは調理容器の底に密接するように設置され、該サーミスタＴＨの一端と電源との間に抵抗Ｒ４  が、サーミスタＴＨの他端と電源との間には抵抗Ｒ５  が接続され、また、２つの第３，第４電界効果トランジスタＦＥＴ３  ，ＦＥＴ４  のドレインがサーミスタＴＨの両端に接続されている。２つのＦＥＴ３  ，ＦＥＴ４  のそれぞれのゲートはＦＥＴ３  とＦＥＴ４  を交互にオン−オフする反転素子ＤＴを介して接続されている。
さらに、サーミスタＴＨの一端（抵抗Ｒ４  側）は自動消火温度検出用のコンパレータＵ１  の＋入力端子に接続され、コンパレータＵ１  の−入力端子には抵抗Ｒ８  と抵抗Ｒ９  の分圧点が接続され、該抵抗Ｒ８  ，抵抗Ｒ９  により分圧された電源電圧ＶＤＤの分圧電圧Ｖ６  を高温側の設定電圧としてコンパレータＵ１  に入力できるようになっている。サーミスタの他端（抵抗Ｒ５  側）は抵抗Ｒ５  ，  Ｒ６  ，  Ｒ７の直列回路の抵抗Ｒ５  とＲ６  の接続点に接続され、抵抗Ｒ６  とＲ７  の接続点はサーミスタ断線検出用のコンパレータＵ２  の−入力端子に接続され、サーミスタＴＨに直列に抵抗Ｒ５  が接続されたときの分圧電圧Ｖ４  をコンパレータＵ２  の同相入力電圧範囲に入れる必要があるので抵抗Ｒ６  と抵抗Ｒ７  によりさらに分圧し、その分圧電圧Ｖ５  を入力できるようにしている。抵抗Ｒ１０と抵抗Ｒ１１は電源電圧ＶＤＤを分圧して低温側の設定電圧Ｖ７  をコンパレータＵ２  に入力できるように、その分圧点が＋入力端子に接続されている。
そして、入力されるパルス電圧Ｖ２  により第３電界効果トランジスタＦＥＴ３がオフし第４電界効果トランジスタＦＥＴ４  がオンの時は、図３に示す等価回路となり、ＦＥＴ４  のオンによりサーミスタＴＨのＦＥＴ４  側はＧＮＤ電位となり、電源電圧ＶＤＤはサーミスタ抵抗と抵抗Ｒ４  により分圧され分圧電圧Ｖ３  が得られる。抵抗Ｒ４  はサーミスタ断線検出（低温側）には全く影響しない抵抗で、自動消火検出温度に合せて決定できる。尚、抵抗値が小さいと消費電流が増加するため、所定の検出精度を満す範囲で抵抗値を決定する。したがって図５に示す通り２５０℃近辺で最も分圧電圧Ｖ３  が変化するようにできる。この分圧電圧Ｖ３は自動消火温度検出用のコンパレータＵ１  に入力され設定電圧と比較され、２５０℃以上であればパルス信号が出力されず、２５０℃以下であれば継続してパルス信号が出力される。
次に、ＦＥＴ３  がオンしＦＥＴ４  がオフとなった場合は図４の等価回路となり、ＦＥＴ３  のオンによりサーミスタのＦＥＴ３  側がＧＮＤ電位となり、ＦＥＴ４がオフでサーミスタは抵抗Ｒ６  とＲ７  と並列接続となり、抵抗Ｒ５  とにより電源電圧ＶＤＤが分圧され分圧電圧Ｖ４  が得られる。そして抵抗Ｒ５  ，Ｒ６  ，Ｒ７  は自動消火検出温度には全く影響しない抵抗であるから、抵抗Ｒ５  ，Ｒ６  ，Ｒ７  はサーミスタＴＨの断線検出に合せて決定でき、抵抗Ｒ５  を断線検出レベルのサーミスタ抵抗付近の値に設定すると、最も検出精度を高くすることができる。この分圧電圧Ｖ４  は図６に示す様に−２２℃近辺で最も大きく変化するように設定でき、該分圧電圧Ｖ４  はコンパレータＵ２  の同相電圧範囲に入る様に抵抗Ｒ６  とＲ７で分圧し、その分圧電圧Ｖ５  をコンパレータＵ２  に入力し、設定された設定電圧Ｖ７  と比較し（図７）サーミスタＴＨが断線しているか否かを検出する。
【０００９】
【実施例】
以下に、この発明の実施例を図８に基づいて説明する。
図８において、１は電磁安全弁Ｖを駆動しガス供給通路を開閉する電磁安全弁駆動回路で、パルス発生部２も備え、電源回路７に接続されている。パルス発生部２には電池電圧監視回路３、本発明に係る温度検出回路４、熱電対ＴＣを用いた炎検知回路５の順に各異常検出回路が接続され、パルス発生部２から発信されたパルス信号が上記各異常検出回路を経由して再び電磁安全弁駆動回路１及びパルス発生部２にフィードバックされている。６はパルス監視回路で電池電圧監視回路３に接続され、パルス信号が停止したとき電源回路７の出力をオフするもので、また、乾電池ＥにイグナイタースイッチＳＷを介してイグナイターＩＧが接続され、イグナイタースイッチＳＷをオンするとパルス監視回路６がオンし電源回路７から電磁安全弁駆動回路１に出力するようになっている。そして、上記電池電圧監視回路３、温度検出回路４、炎検知回路５等の各異常検出回路が正常ならばパルス発生部２から発信されたパルス信号が次々に伝達され再び電磁安全弁駆動回路１及びパルス発生部２にフィードバックされパルス発生部２からも継続してパルス信号が発信され、電磁安全弁Ｖのマグネットコイルを継続して励磁し電磁安全弁を開に保持し燃焼を継続し、異常を検出するとパルス信号がスットプし燃焼を停止しする。
この様なパルス制御方式の燃焼器具に本発明の温度検出回路を組込むと、パルス信号が入力されパルス電圧Ｖ２  で抵抗の切替えがパルスに同期して行なわれ、常時高温側と低温側の分圧電圧Ｖ３  ，Ｖ４  が得られ、分圧電圧Ｖ３  はコンパレータＵ１  に入力され自動消火温度である２５０℃以上であるか否かが監視され、２５０℃以上になるとコンパレータＵ１  からパルス信号が出力されず、燃焼を停止することができる。このように燃焼器具のフェールセーフ性も向上させることができる。そして、低温側の分圧電圧Ｖ４  はコンパレータＵ２  の同相電圧範囲内に入る様にさらに抵抗Ｒ６  ，Ｒ７  により分圧され、その分圧電圧Ｖ５  がコンパレータＵ２  に入力され、サーミスタＴＨが断線しているか否かを監視する。サーミスタＴＨが断線するとコンパレータＵ２  の出力がＬｏ  となり別の回路を介してシステムを停止し燃焼をストップする。
【００１０】
【発明の効果】
この発明は以上説明したように構成されているので、以下に記載するような効果を奏する。
【００１１】
この発明によれば、パルス制御方式の燃焼器具のパルス信号を利用して抵抗値を切替えることができるので、検出したい温度での電圧変化量を大きくでき、かつ低温側と高温側の分圧電圧が得られるので、この分圧電圧と設定電圧とを比較して自動消火温度とサーミスタの断線を監視できる。それ故、検知精度を上げることができ、パルス制御方式の燃焼器具の安全性を向上させることができる。また、従来のように半固定抵抗を用いて設定電圧を調整する必要もなく便利である。そして、パルス信号に同期してサーミスタに接続する抵抗が切替えられるので、常時低温側と高温側の分圧電圧をサーミスタの両端に発生させることができ、同時に低温側と高温側の温度監視ができる。さらに、低温側の分圧電圧を得るときは、高温側の抵抗を無関係にし、反対に、高温側の分圧電圧を得るときは、低温側の抵抗を無関係にすることができるので、抵抗値を検出しようとする温度に合せて最も検出精度を高くする値に設定でき、高温側と低温側とで検出温度に大きな差があっても高精度で温度検出ができ、消費電力も少なくすることができる。
【図面の簡単な説明】
【図１】電界効果トランジスタを制御してサーミスタに直列接続する抵抗を切替える燃焼器具の温度検出回路の回路図である。
【図２】入力するパルス信号によりサーミスタに接続する抵抗を切替える燃焼器具の温度検出回路の回路図である。
【図３】図２においてＦＥＴ３  がオフ、ＦＥＴ４  がオンした場合の等価回路である。
【図４】図２においてＦＥＴ３  がオン、ＦＥＴ４  がオフした場合の等価回路である。
【図５】サーミスタ温度に対する高温側の分圧電圧Ｖ３  の変化と、設定電圧の関係を示す図である。
【図６】サーミスタ温度に対する低温側の分圧電圧Ｖ４  の変化を示す図である。
【図７】サーミスタ温度に対する分圧電圧Ｖ５  の変化と、設定電圧との関係を示す図である。
【図８】パルス制御方式の燃焼制御回路の説明図である。
【図９】従来例の回路図である。
【符号の説明】
ＴＨ…サーミスタ、Ｒ１  ，Ｒ２  ，Ｒ３  ，Ｒ４  ，Ｒ５  ，Ｒ６  ，Ｒ７  …抵抗、ＦＥＴ１  ，ＦＥＴ２  ，ＦＥＴ３  ，ＦＥＴ４  …電界効果トランジスタ、Ａ…マイクロコンピュータ、ＤＴ…反転素子、Ｖ１  ，Ｖ３  ，Ｖ４  ，Ｖ５  …分圧電圧、Ｖ２  …パルス電圧。
【図１】
0003554430.tif 000002
【図２】
0003554430.tif 000003
【図３】
0003554430.tif 000004
【図４】
0003554430.tif 000005
【図５】
0003554430.tif 000006
【図６】
0003554430.tif 000007
【図７】
0003554430.tif 000008
【図８】
0003554430.tif 000009
【図９】
0003554430.tif 000010